(57)【要約】【課題】訪問者を簡単・確実に識別し且つ居住者の在宅又は不在に応じて適切な対応を可能にするインターホン装置を提供する。【解決手段】玄関口に設置されたインターホン子機１０および屋内に設置されたインターホン親機４０を含み、訪問者がインターホン子機１０の呼び鈴１３を押下すると、インターホン親機４０の制御部４１から表示部１２にメッセージを表示して、訪問者の携帯電話端末２０からＩｒデータの送信を促す。受光部（受信部）１１でＩｒデータを受信して訪問者の電話番号を確認し、内部データベース４３又は外部データベース３１検索部４２で検索する。この検索結果に応じて、表示部４４および記憶部４５に表示格納し、更にメール送信手段４６により携帯電話端末５０へ必要データを送信する。【選択図】図１
2005198069.tif 000002
【特許請求の範囲】
【請求項１】
玄関口に設置されたインターホン子機および屋内に設置されたインターホン親機により構成され、訪問者が玄関先で居住者等と通話可能にするインターホン装置において、
前記インターホン子機は、前記訪問者が保有する携帯電話端末から前記インターホン子機の近傍で発射される近距離通信手段による電話番号を読み取る受信部を備えることを特徴とするインターホン装置。
【請求項２】
前記携帯電話端末は、自己の電話番号を送信する赤外線通信手段を備え、前記インターホン子機が備える受信部は、前記携帯電話端末が発射する赤外線通信信号の受光部であることを特徴とする請求項１に記載のインターホン装置。
【請求項３】
前記インターホン子機は、呼び鈴および表示部を備え、前記訪問者が前記呼び鈴を押下すると、前記訪問者に電話番号の送信を促すメッセージを前記インターホン親機に設けられた制御部から受信して表示することを特徴とする請求項１又は２に記載のインターホン装置。
【請求項４】
前記インターホン親機は、前記訪問者から受け取った電話番号を、予め内部に設けられたデータベースの電話番号と比較する検索部を備えることを特徴とする請求項１、２又は３に記載のインターホン装置。
【請求項５】
前記インターホン親機は、メール送信手段を備え、前記訪問者の携帯電話端末から受信した電話番号および前記データベースの電話番号の検索結果に応じて、指定する携帯電話等にメールを送信することを特徴とする請求項１乃至４の何れかに記載のインターホン装置。
【請求項６】
前記メール送信手段は、メール送信設定部により選択的に送信可能状態とされることを特徴とする請求項５に記載のインターホン装置。
【請求項７】
前記インターホン親機の制御部の電源は、通常状態ではＯＦＦであり、前記訪問者が前記呼び鈴を押すことによりＯＮになることを特徴とする請求項３に記載のインターホン装置。
【請求項８】
玄関口に設置されたインターホン子機および屋内に設置されたインターホン親機を含み、訪問者および居住者間の通話を行うインターホン装置において、
前記インターホン子機は、訪問者が操作する呼び鈴、前記訪問者に対するメッセージを表示する表示部および前記訪問者が保有する携帯電話端末からの赤外線通信信号の受光部を含み、前記インターホン親機は、前記受光部が受信した前記訪問者の携帯電話端末の電話番号を取得する制御部、該制御部が取得した電話番号と内部データベースに登録されている電話番号と対比して前記訪問者を特定する検索部、前記特定された訪問者の情報を表示する表示部および前記訪問者の情報を保存する記憶部、および前記訪問者のメールを前記居住者の携帯電話端末等へ電話回線を介して送信するメール送信手段を備えることを特徴とするインターホン装置。
【請求項９】
前記インターホン親機は、前記メール送信手段を選択的にＯＮ／ＯＦＦするメール送信設定部を備えることを特徴とする請求項８に記載のインターホン装置。
【請求項１０】
前記制御部が取得した前記訪問者の携帯電話端末の電話番号が前記内部データベースに存在しないとき、前記制御部は前記メール送信手段を介して外部データベースにアクセスして前記訪問者を確認することを特徴とする請求項８又は９に記載のインターホン装置。
【発明の詳細な説明】
【技術分野】
【０００１】
本発明はインターホン装置に関し、特に訪問者が保持する携帯電話端末と赤外線通信してその電話番号を取得することが可能なインターホン装置に関する。
【背景技術】
【０００２】
インターホン装置は、一般家庭等の門又は扉等の玄関口に設けられたインターホン子機と屋内（又は室内）にも受けられたインターホン親機とにより構成され、屋内（又は室内）の居住者（又は在宅者）が訪問者と通話するために広く使用されている。また、インターホン装置にはカメラが設けられたものもあり、これにより訪問者が応対すべき訪問者であるか否かを容易に確認可能にしている。
【０００３】
既存のインターホン装置は、例えば受話器および付属のカメラによる音声および画像の確認が可能である。しかし、それは在宅中にのみ確認が可能であるため、不在の場合には、訪問者が誰であるかの確認はおろか、実際に誰かが訪問したのか否かの確認も不可能である。不在の場合でも、訪問者を確認するための幾つかの技法が提案されている。親機において、外出時にモード選択スイッチをＯＮ状態にして、訪問者が子機のチャイムスイッチを押すと、電話番号登録メモリに登録していた外出先の電話機又は携帯電話を呼び出すことにより外出者と会話可能にするインターホン装置が開示されている（例えば、特許文献２参照。）。
【０００４】
また、室内親機の制御部により、不在時には、玄関子機のカメラにより撮影した訪問者の映像を映像記憶部に記憶させると同時にＩＳＰ（インターネット・サービス・プロバイダ）に電話回線を介して接続し、取得したＩＰ（インターネット・プロトコル）アドレスによりインターネットを介して映像記憶部内の訪問者の映像を閲覧可能にすると共にそのＩＰアドレスを添付した電子メールを携帯電話に送信するインターホン装置が開示されている（例えば、特許文献２参照。）。
【０００５】
更に、子機に携帯電話との通信機能を備え、訪問者の所持する携帯電話と通信して認証データを読み込み、この取得した認証データを親機へ送り、居住者が不在の場合には親機から携帯電話へ接続することにより訪問者に迅速且つ的確に対応可能な来訪者識別インターホンシステムが開示されている（例えば、特許文献３参照。）。
【特許文献１】特開２００２−１７１３５１号公報（第３−４頁、第１図）
【特許文献２】特開２００２−３００２９５号公報（第３頁、第１図）
【特許文献３】特開２００３−２２４６６３号公報（第３頁、第１図）
【発明の開示】
【発明が解決しようとする課題】
【０００６】
しかし、上述した特許文献１および特許文献２に開示される如き従来のインターホン装置では、インターホンのボタン押下のみで電話がかかるのは、誰ともわからない人との応答となる。そのために、応答が不要な訪問者の場合には、不便が生じる。また、最近では、偽りの業者名等を語り、居住者と応対を試みて、詐欺や盗難等のトラブルも多発している。
【０００７】
また、上述した特許文献３に加持される如き従来のインターホンシステムでは、インターホン子機は、実質的に携帯電話と同様の機能を備えている必要があり、複雑且つ高価になる。また、訪問者は、実際に訪問することなく携帯電話でインターホンへアクセス可能であるので、実際に玄関口へ来た訪問者であるのか否か識別不能であり、セールス業者等に悪用される虞が排除できない。
【０００８】
本発明は、従来技術の上述の如き課題に鑑みみなされたものであり、上術の如き不便又は不都合を解消するため、訪問者を判別し、何時に来たのかを携帯電話端末の赤外線通信等を使用することにより、判断可能なインターホン装置を提供することを主たる目的とする。
【課題を解決するための手段】
【０００９】
前述の課題を解決するため本発明によるインターホン装置は次のような特徴的な構成を採用している。
【００１０】
（１）玄関口に設置されたインターホン子機および屋内に設置されたインターホン親機により構成され、訪問者が玄関先で居住者等と通話可能にするインターホン装置において、
前記インターホン子機は、前記訪問者が保有する携帯電話端末から前記インターホン子機の近傍で発射される近距離通信手段による電話番号を読み取る受信部を備えるインターホン装置。
【００１１】
（２）前記携帯電話端末は、自己の電話番号を送信する赤外線通信手段を備え、前記インターホン子機が備える受信部は、前記携帯電話端末が発射する赤外線通信信号の受光部である上記（１）のインターホン装置。
【００１２】
（３）前記インターホン子機は、呼び鈴および表示部を備え、前記訪問者が前記呼び鈴を押下すると、前記訪問者に電話番号の送信を促すメッセージを前記インターホン親機に設けられた制御部から受信して表示する上記（１）又は（２）のインターホン装置。
【００１３】
（４）前記インターホン親機は、前記訪問者から受け取った電話番号を、予め内部に設けられたデータベースの電話番号と比較する検索部を備える上記（１）、（２）又は（３）のインターホン装置。
【００１４】
（５）前記インターホン親機は、メール送信手段を備え、前記訪問者の携帯電話端末から受信した電話番号および前記データベースの電話番号の検索結果に応じて、指定する携帯電話等にメールを送信する上記（１）乃至（４）の何れかのインターホン装置。
【００１５】
（６）前記メール送信手段は、メール送信設定部により選択的に送信可能状態とされる上記（５）のインターホン装置。
【００１６】
（７）前記インターホン親機の制御部の電源は、通常状態ではＯＦＦであり、前記訪問者が前記呼び鈴を押すことによりＯＮになる上記（３）のインターホン装置。
【００１７】
（８）玄関口に設置されたインターホン子機および屋内に設置されたインターホン親機を含み、訪問者および居住者間の通話を行うインターホン装置において、
前記インターホン子機は、訪問者が操作する呼び鈴、前記訪問者に対するメッセージを表示する表示部および前記訪問者が保有する携帯電話端末からの赤外線通信信号の受光部を含み、前記インターホン親機は、前記受光部が受信した前記訪問者の携帯電話端末の電話番号を取得する制御部、該制御部が取得した電話番号と内部データベースに登録されている電話番号と対比して前記訪問者を特定する検索部、前記特定された訪問者の情報を表示する表示部および前記訪問者の情報を保存する記憶部、および前記訪問者のメールを前記居住者の携帯電話端末等へ電話回線を介して送信するメール送信手段を備えるインターホン装置。
【００１８】
（９）前記インターホン親機は、前記メール送信手段を選択的にＯＮ／ＯＦＦするメール送信設定部を備える上記（８）のインターホン装置。
【００１９】
（１０）前記制御部が取得した前記訪問者の携帯電話端末の電話番号が前記内部データベースに存在しないとき、前記制御部は前記メール送信手段を介して外部データベースにアクセスして前記訪問者を確認する上記（８）又は（９）のインターホン装置。
【発明の効果】
【００２０】
本発明のインターホン装置によると、次の如き実用上の顕著な効果が得られる。即ち、インターホン子機は、訪問者の携帯電話端末からのＩｒデータ受信手段を備えればよいので、簡単且つ安価に実現可能であり、しかも音声やカメラの映像よりも簡単、確実且つ迅速に、インターホン親機により訪問者の確認が可能である。また、インターホン子機は、訪問者が保有する携帯電話端末の電話番号を赤外線通信等により取得するので、その通信範囲は極めて限定的であり、実際に玄関口に来た訪問者とのみ通信可能である。
【実施例１】
【００２１】
以下、本発明によるインターホン装置又はインターホンシステムの好適実施例の構成および動作を、添付図面を参照して詳細に説明する。
【００２２】
先ず、図１は、本発明によるインターホン装置の好適実施例の全体構成を示すブロック図である。このインターホン装置は、玄関先に設置されたインターホン子機１０および屋内に設けられたインターホン親機４０を含んでいる。以下に詳述する如く、訪問者は、自己の携帯電話端末２０の赤外線通信等を使用してインターホン子機１０の付近で、このインターホン子機１０と通信可能である。また、インターホン親機４０は、電話回線等３０を介して屋外の携帯電話端末５０と通信可能に構成されている。
【００２３】
本発明のインターホン装置は、上述の如く、インターホン子機１０と携帯電話端末２０との間で赤外線通信等の近距離無線通信を可能にしている。この構成により、屋内の居住者等は、訪問者の携帯電話端末２０の電話番号を入手することが可能となる。そして、インターホンにその携帯電話端末の所有者が誰であるかの判別機能を持たせることにより、電話番号から訪問者の判別を可能にする。そして、居住者又は被訪問者が期待する訪問者とのみと通話することにより、期待しない（又は歓迎されない）訪問者と通話する煩わしさを効果的に回避することを可能にする。
【００２４】
次に、図２は、図１に示すインターホン子機１０およびインターホン親機４０の詳細構成を示す機能ブロック図である。インターホン子機１０は、受光部１１、表示部１２および呼び鈴１３を含んでいる。一方、インターホン親機４０は、制御部４１、検索部４２、内部データベース４３、表示部４４、記憶部４５、メール機能部４６、メール送信設定部４７およびスピーカ部４８を含んでいる。また、電話回線部３０は、外部データベース３１を含んでいる。
【００２５】
インターホン子機１０およびインターホン親機４０を構成する各構成部１１〜１３および４１〜４８の主要機能を説明する。先ず、インターホン子機１０において、受光部１１は、訪問者の携帯電話端末２０が発射する赤外線通信信号を受信する。表示部１２は、例えば液晶又はＥＬ等の表示パネルであって、各種のメッセージを表示する。呼び鈴１３は、一般的なインターホンに設けられているボタン（又はスイッチ）であって、訪問者が指で押下することにより、インターホン親機４０を介して居住者に対して訪問者の来訪を伝える。
【００２６】
次に、インターホン親機４０において、制御部４１は、インターホン装置全体の動作を制御する。検索部４２は、制御部４１から訪問者の携帯電話端末２０の電話番号等の情報を受け取り、居住者が予め入力している訪問者の情報を含んでいる内部データベース４３のデータを検索する。表示部４４は、上述したインターホン子機１０の表示部１２と同様の構成および機能を有する表示パネルである。記憶部４５は、制御部４１から送られる情報、例えば訪問者の訪問日時、携帯電話番号等を記憶するための、例えば読み書き可能な半導体メモリである。メール機能部４６は、例えば訪問が期待されている特定の訪問者の場合に、その訪問者の訪問を、電話回線等３０を介して屋外の携帯電話端末５０へメールで通報する。メール送信設定部４７は、メール機能４６をＯＮ／ＯＦＦするスイッチであり、例えば居住者が外出する際に、このメール送信設定部４７をＯＮに設定する。スピーカ部４８は、呼び鈴１３を押下した訪問者と通話する手段である。
【００２７】
次に、図３〜図７のフローチャートを参照して、図１および図２に示す、本発明によるインターホン装置の動作を説明する。ここで、図３は、「電話番号取得ルーチン」である。図４は、「電話番号検索ルーチン」である。図５は、「電話番号検索＃２ルーチン」である。図６は、「用件メール取得ルーチン」である。また、図７は、「メール送信ルーチン」である。
【００２８】
先ず、図３を参照して「電話番号取得ルーチン」、即ち訪問者の携帯電話端末２０の電話番号を取得するまでの動作について説明する。訪問者がインターホン子機１０の呼び鈴１３を押下する（ステップＡ１）。すると、通常のように、受信側のインターホン親機４０のスピーカ部４８から呼び出し音が鳴り、在宅中であれば訪問者があることを知らせる。また、訪問者による呼び鈴１３の押下により、制御部４１の電源がＯＮになる（ステップＡ２）。このように、訪問者がいない通常状態では、制御部４１の電源をＯＦＦにすることにより制御部４１を待ち受け状態とし、無駄な消費電力を抑える。制御部４１が起動されると、この制御部４１は、インターホン子機１０に信号を送り、その表示部１２に「携帯電話端末２０の電話番号を赤外線通信で送信して下さい」等のメッセージを表示して、訪問者にインターホン子機１０に自己の携帯電話番号の赤外線通信を促す（ステップＡ３）。
【００２９】
そこで、訪問者は、自己の携帯電話端末２０からインターホン子機１０へ携帯電話端末２０の電話番号を赤外線通信で送信する。訪問者の携帯電話端末２０から送信されたＩｒ（赤外線通信）データは、受光部１１に受光され、インターホン親機４０の制御部４１で復調される。そして、訪問者の携帯電話端末２０の電話番号が正常に取得されたか否か判断する（ステップＡ４）。正常に取得されない場合（ステップＡ４：Ｎ）には、上述したステップＡ３へ戻り、再度の送信を促す。一方、正常に取得された場合（ステップＡ４：Ｙ）には、その電話番号を記憶部４５に格納すると共に検索部４２へ送信する（ステップＡ５）。以上で、「電話番号取得ルーチン」の動作を終了し、図４を参照して後述する「電話番号検索ルーチン」Ｂ０を実行する。
【００３０】
次に、図４のフローチャートを参照して「電話番号検索ルーチン」Ｂ０、即ち訪問者の携帯電話端末２０の電話番号を取得し、この電話番号から訪問者を判別するまでの動作を説明する。電話番号を取得した制御部４１は、「電話番号取得ルーチン」で取得した電話番号から訪問者を判別するため、その電話番号を検索部４２に送信する。検索部４２は、インターホン親機４０に内蔵されている内部データベース４３、即ち居住者が予め入力作成した電話帳データベース４３にアクセスする（ステップＢ１）。そして、取得した電話番号を検索し、この取得した電話番号と合致する電話番号が内部データベース４３に存在するか否か判断する（ステップＢ２）。
【００３１】
上述したステップＢ２において、内部データベース４３に取得した電話番号と合致した電話番号が存在した場合（ステップＢ２：Ｙ）には、検索部４２は、その電話番号の登録元である電話帳情報を取得し（ステップＢ３）、その信号を制御部４１に返信する。この信号を受信した制御部４１は、先ずこの信号を記憶部４５に保存する。次に、インターホン親機４０の表示部４４にその信号を送信し、インターホン親機４０の表示部４５に訪問者の電話帳情報を表示させる（ステップＢ４）。次に、メール送信設定部４７のスイッチがＯＮか否か判断する（ステップＢ５）。メール送信設定部４７のスイッチがＯＮ状態(ステップＢ５：Ｙ)のとき、図７のフローチャートを参照して後述する「メール送信ルーチン」Ｅ０へ移行する。一方、メール送信設定部４７のスイッチがＯＮでない（ステップＢ５：Ｎ）とき、この動作を終了する。
【００３２】
一方、上記ステップＢ２において、取得した電話番号と合致する電話番号が内部データベース４３に存在しない場合（ステップＢ２：Ｎ）には、図５のフローチャートを参照して説明する「電話番号検索＃２ルーチン」Ｃ０へ移行する。
【００３３】
次に、図５のフローチャートを参照して「電話番号検索＃２ルーチン」Ｃ０を説明する。この「電話番号検索＃２ルーチン」Ｃ０は、検索部４２が外部アクセスで電話番号を検索する動作である。内部データベース４３の検索結果がＮＧだった場合（ステップＢ２：Ｎ）に、検索部４２は、電話回線等３０を使用して、外部データベース３１にアクセスする（ステップＣ１）。そして、検索部４２は、電話番号検索サ−ビスを提供するコンテンツの電話帳、即ち外部データベース３１から取得した電話番号と合致する電話番号を検索する（ステップＣ２）。
【００３４】
外部データベース３１より検索した結果、訪問者から取得した電話番号と同一の電話番号が存在した場合（ステップＣ２：Ｙ）には、検索部４２は、この電話番号が登録されている会社名又は氏名の電話帳情報を含む信号を取得し、制御部４１に返信する（ステップＣ３）。この信号を受信した制御部４１は、先ず、記憶部４５にこの信号を保存する。次に、表示部４４にその信号を送信し、インターホン親機４０の表示部４４に訪問者の会社名又は氏名の電話帳情報を表示させる（ステップＣ４）。
【００３５】
次に、メール送信設定部４７のＳＷがＯＮになっているか否か判断する（ステップＣ５）。メール送信設定部４７のスイッチ（ＳＷ）がＯＮの場合（ステップＣ５：Ｙ）には、図７を参照して後述する「メール送信ルーチン」Ｅ０へ移行する。一方、メール送信設定部４７のＳＷがＯＮでない場合（ステップＣ５：Ｎ）には、動作を終了する。また、上述したステップＣ２において同一の電話番号が外部データベース３１にも存在しない場合（ステップＣ２：Ｎ）には、図６を参照して後述する「用件メール取得ルーチン」Ｄ０へ移行する。
【００３６】
次に、図６のフローチャートを参照して「用件メール取得ルーチン」、即ち外部データベース３１に接続しても訪問者が判別できなかった場合の動作を説明する。この動作は、訪問者に用件をメールで作成を依頼し、用件メールを取得する動作である。外部データベース３１の検索結果ＮＧであった検索部４２は、制御部４１に検索結果ＮＧの信号を送信する（ステップＤ１）。この信号を受信した制御部４１は、インターホン１０の表示部１２に「用件をメールで作成し、赤外線通信して下さい」との旨のメッセージ信号を送信して表示する。この信号を受信したインターホン子機１０は、その表示部１２に上述のメッセージを表示させ、訪問者に用件のメールを作成し、赤外線通信するように伝える（ステップＤ２）。
【００３７】
そこで、訪問者は、携帯電話端末２０により用件内容のメールを作成する。そして、赤外線通信で送信されたＩｒデータを受光部１１で受光する（ステップＤ３）。このＩｒデータは、制御部４１へ送信され、Ｉｒデータを受信した制御部４１は、それを復調して用件メールを抽出し、電話番号と用件メールの情報を含んだ信号を記憶部４５に格納すると共に表示部４４に表示させる（ステップＤ４）。
【００３８】
そして、メール送信設定部４７のＳＷがＯＮになっているか否か判断する（ステップＤ５）。メール送信設定部４７のＳＷがＯＮの場合（ステップＤ５：Ｙ）には、図７のフローチャートを参照して後述する「メール送信ルーチン」Ｅ０へ移行する。一方、メール送信設定部４７のＳＷがＯＮでない場合(ステップＤ５：Ｎ)には、動作を終了する。
【００３９】
次に、図７のフローチャートを参照して「メール送信ルーチン」Ｅ０について説明する。先ず、制御部４１が表示部４４に送信した信号をメール機能部（又はメール送信手段）４６へ送信する（ステップＥ１）。そして、メール機能部４６は、電話回線等３０を使用して外部へアクセスする（ステップＥ２）。最後に、メール機能部４６は、制御部４１から送信された信号を居住者の携帯電話端末５０へ送信し（ステップＥ３）、動作を終了する。これにより居住者は、訪問者の電話番号およびメール内容（用件）をメールにて確認する。
【００４０】
以上、本発明によるインターホン装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、上述の好適実施例では、赤外線通信を使用したが、微弱電波等の他の近距離無線通信手段を使用してもよい。また、メール送信手段は、居住者が勤務先会社等の既知の場所へ外出しているときには、その固定電話へメールを送信してもよい。
【図面の簡単な説明】
【００４１】
【図１】本発明によるインターホン装置の好適実施例の全体構成を示すブロック図である。
【図２】図１中のインターホン子機およびインターホン親機の詳細構成を示す機能ブロック図である。
【図３】本発明のインターホン装置の動作の一部である電話番号取得ルーチンを示すフローチャートである。
【図４】本発明のインターホン装置の動作の一部である電話番号検索ルーチンのフローチャートである。
【図５】本発明のインターホン装置の動作の一部である電話番号検索＃２ルーチンのフローチャートである。
【図６】本発明のインターホン装置の動作の一部である用件メール取得ルーチンのフローチャートである。
【図７】本発明のインターホン装置の動作の一部であるメール送信ルーチンのフローチャートである。
【符号の説明】
【００４２】
１０  インターホン子機
１１  受信部（受光部）
１２、４４  表示部
１３  呼び鈴
３０  外部電話回線等
３１  外部データベース
４０  インターホン親機
４１  制御部
４２  検索部
４３  内部データベース
４５  記憶部
４６  メール機能部（メール送信手段）
４７  メール送信設定部
４８  スピーカ部
【図１】
2005198069.tif 000003
【図２】
2005198069.tif 000004
【図３】
2005198069.tif 000005
【図４】
2005198069.tif 000006
【図５】
2005198069.tif 000007
【図６】
2005198069.tif 000008
【図７】
2005198069.tif 000009